(57)【要約】【課題】多極性のイヤホンプラグを使用しても、安定した防水性、接続性が得られ、信頼性の高い多極性イヤホンプラグ接続装置を提供すること。【解決手段】本体部８の端面８ａから突出するプラグ端子９の基部外周に円筒端子１０を備えた多極性のイヤホンプラグ７と、筐体１の開口部４に取り付けられてイヤホンプラグ７が接続されるプラグ挿入部３とを備えた多極性イヤホンプラグ接続装置において、イヤホンプラグ７の本体部端面８ａに環状凸部２２を備え、筐体１の開口部４にイヤホンプラグ７の環状凸部２２の外側に接触する環状凸部２１を備える。環状凸部２１と環状凸部２２との嵌合により安定した防水性と接続性が得られる。【選択図】　図４
2004087185.tif 000002
【特許請求の範囲】
【請求項１】
イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記イヤホンプラグ本体部の前記円筒端子の周囲に環状凸部を備え、前記筐体の前記開口部に前記イヤホンプラグ本体部の環状凸部の内側に対向する環状凸部を備えたことを特徴とする多極性イヤホンプラグ接続装置。
【請求項２】
イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記イヤホンプラグ本体部の前記円筒端子の周囲に環状凸部を備え、前記筐体の前記開口部に前記イヤホンプラグ本体部の環状凸部の外側に接触する環状凸部を備えたことを特徴とする多極性イヤホンプラグ接続装置。
【請求項３】
イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記イヤホンプラグ本体部の前記円筒端子の周囲に第１の環状凸部および第２の環状凸部を備え、前記筐体の前記開口部に前記イヤホンプラグ本体部の第１の環状凸部の内側に対向する環状凸部および前記第２の環状凸部の外側に接触する前記開口部を備えたことを特徴とする多極性イヤホンプラグ接続装置。
【請求項４】
イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記筐体の前記開口部に前記イヤホンプラグの本体部および円筒端子に接触するシールリングを備えたことを特徴とする請求項１から３のいずれかに記載の多極性イヤホンプラグ接続装置。
【請求項５】
前記シールリングが、前記イヤホンプラグを前記イヤホンジャックから取り外した時に前記イヤホンジャックを外側から塞ぐイヤホンジャックカバーと一体に形成されていることを特徴とする請求項４記載の多極性イヤホンプラグ接続装置。
【発明の詳細な説明】
【０００１】
【発明の属する技術分野】
本発明は、電子機器筐体に使用する多極性イヤホンプラグ接続装置に関するものである。
【０００２】
【従来の技術】
従来、電子機器に使用されるイヤホンプラグ接続装置は、２極性のものがほとんどであり、イヤホンジャックは、イヤホンプラグが挿入されるため、筐体の開口部から露出しているので、防水を施す必要があった。このような防水構造としては、例えば特許第２５０７１７３号公報に記載されている。これは、図１１に示すように、筐体１０１に形成された凹部１０２内に、イヤホンプラグ１０３を着脱するためのイヤホンジャック１０４のプラグ挿入部１０５を挿入し、このプラグ挿入部１０５の外側からナット部材１０６を螺合させて、プラグ挿入部１０５を筐体１０１に固定し、凹部１０２内にシールキャップ１０７を圧入して、このシールキャップ１０７をナット部材１０６に水密状態で被せたものである。このような防水構造により、従来の２極性のイヤホンプラグ接続装置でも、筐体の開口部からの水や埃の浸入を防止することができる。
【０００３】
【発明が解決しようとする課題】
しかしながら、上記従来のような２極性のイヤホンプラグ接続装置では、防水機能が得られるものの、接続オプションの多様化に伴って開発された多極性のイヤホンプラグ接続装置では、十分な防水機能が得られないという問題があった。多極性のイヤホンプラグは、２極性のイヤホンプラグよりも大型化するので、防水構造を取るとデザイン性が悪化したり、イヤホンジャック挿入穴の大型化によるシール部の圧縮しろの減少により防水機能の低下する。圧縮しろを大きくとると、それだけイヤホンプラグを抜く時の反発力も大きくしなければならず、使用時に抜けやすくなるという信頼性の問題が生じる。また、多極性のイヤホンジャックのコンタクト部は、イヤホンジャックの上端部に存在するために、筐体の開口部とイヤホンジャックとの間に隙間が生じ、筐体の開口部でガイドすることが容易でなく、振動やイヤホンプラグの曲げによりイヤホンジャックと回路基板との接合部に亀裂等が生じて、信頼性を低下させるという問題もあった。
【０００４】
本発明は、このような従来の問題を解決するもので、多極性のイヤホンプラグを使用しても、安定した防水性が得られ、また、振動や曲げがあっても安定した接続が確保でき、信頼性の高い多極性イヤホンプラグ接続装置を提供することを目的とする。
【０００５】
【課題を解決するための手段】
上記課題を解決するため、本発明の多極性イヤホンプラグ接続装置は、イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記イヤホンプラグ本体部の前記円筒端子の周囲に環状凸部を備え、前記筐体の前記開口部に前記イヤホンプラグ本体部の環状凸部の内側に対向する環状凸部を備えたことを特徴とするものである。この構成により、デザイン性を考慮しつつ、安定した防水性が得られ、信頼性の高い多極性イヤホンプラグ接続装置を実現することができる。
【０００６】
また、本発明の多極性イヤホンプラグ接続装置は、イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記イヤホンプラグ本体部の前記円筒端子の周囲に環状凸部を備え、前記筐体の前記開口部に前記イヤホンプラグ本体部の環状凸部の外側に接触する環状凸部を備えたことを特徴とするものである。この構成により、デザイン性を考慮しつつ、振動や曲げがあっても安定した接続が確保でき、信頼性の高い多極性イヤホンプラグ接続装置を実現することができる。
【０００７】
また、本発明の多極性イヤホンプラグ接続装置は、イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記イヤホンプラグ本体部の前記円筒端子の周囲に第１の環状凸部および第２の環状凸部を備え、前記筐体の前記開口部に前記イヤホンプラグ本体部の第１の環状凸部の内側に対向する環状凸部および前記第２の環状凸部の外側に接触する前記開口部を備えたことを特徴とするものである。この構成により、デザイン性を考慮しつつ、安定した防水性が得られ、また、振動や曲げがあっても安定した接続が確保でき、信頼性の高い多極性イヤホンプラグ接続装置を実現することができる。
【０００８】
また、本発明の多極性イヤホンプラグ接続装置は、イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、前記筐体の前記開口部に前記イヤホンプラグの本体部および円筒端子に接触するシールリングを備えたことを特徴とするものである。この構成により、デザイン性を考慮しつつ、安定した防水性が得られ、また、振動や曲げがあっても安定した接続が確保でき、信頼性の高い多極性イヤホンプラグ接続装置を実現することができる。
【０００９】
また、本発明の多極性イヤホンプラグ接続装置は、前記シールリングが、前記イヤホンプラグを前記イヤホンジャックから取り外した時に前記イヤホンジャックを外側から塞ぐイヤホンジャックカバーと一体に形成されていることを特徴とするものであり、この構成により、非使用時における防水性も確保することができ、誤って水に濡らしたり水没させたりしても、生活防水としての機能を確保することができる。
【００１０】
【発明の実施の形態】
以下、本発明の実施の形態について図面を参照して説明する。
（実施の形態１）
図１（ａ）は本発明の実施の形態１における多極性イヤホンプラグ接続装置の構成を示し、図１（ｂ）はイヤホンプラグの下方から見た部分拡大図である。図２（ａ）はイヤホンプラグをイヤホンジャックに挿着した状態の断面図、図２（ｂ）は図２（ａ）のＡ部拡大断面図である。図１および図２において、筐体１の上面には、イヤホンジャック２のプラグ挿入部３を露出させるための開口部４が形成されている。イヤホンジャック２は、その４箇所の足部２ａが、筐体１内部のプリント基板５上に半田付けにより固定されている。開口部４の周縁には、上向きに環状凸部６が形成されている。一方、イヤホンプラグ７は、樹脂、ゴム、弾性樹脂等の絶縁性材料から構成された本体部８と、本体部８の端面８ａの中心から突出するモノラルやステレオ用のプラグ端子９と、プラグ端子９の周囲に本体部８により絶縁されて同心的に設けられた円筒端子１０とを備えている。また、本体部８の端面８ａには、その外周面から下向きに環状凸部１１が形成されている。開口部４の環状凸部６とイヤホンプラグ７の環状凸部１１とは、高さが同じであるが、イヤホンプラグ７の環状凸部１１の直径は、開口部４の環状凸部６の直径よりも大きく、両者の間には隙間Ｇが設けられている。さらに、筐体１の上面には、イヤホンプラグ７を装着しない場合に、外部の水や埃が開口部４から筐体１内部に浸入するのを防ぐためのイヤホンジャックカバー１２が固定されている。イヤホンジャックカバー１２の材質としてはゴム、エラストマー等があり、特にシリコンゴムは移行性、柔軟性の面で好ましい。
【００１１】
次に、本実施の形態１におけるイヤホンプラグ接続装置の動作について説明する。イヤホンプラグ７のプラグ端子９をイヤホンジャック２のプラグ挿入部３の挿入穴３ａに押し込んで挿着すると、プラグ端子９が挿入穴３ａの電極に接続され、また円筒端子１０が、プラグ挿入部３の円筒部３ｂに嵌合して、円筒部３ｂの電極に接続される。プラグ挿入部３の各電極は、図示されない導電部によりプリント基板５に接続されている。イヤホンプラグ７がイヤホンジャック２に挿着されると、イヤホンプラグ７の環状凸部１１が、開口部４の環状凸部６の周囲外側に隙間Ｇをもって対向する。この隙間Ｇにより、プラグ端子９および円筒端子１０と同心である環状凸部６、１１の中心位置のばらつきが吸収される。また、環状凸部６と環状凸部１１による食い違い構造により、外部の水や埃が開口部４を通じて筐体１内に浸入するのを阻止することができる。この環状凸部６と環状凸部１１の直径はできるだけ大きい方が、防水性能の上で好ましい。また、プラグ挿着時には、開口部４の環状凸部６をイヤホンプラグ７の環状凸部１１により目隠しすることができ、デザイン的にも優れている。イヤホンプラグ７を使用しない時は、イヤホンジャックカバー１２をイヤホンジャック２に差し込んで開口部４を塞いでおく。
【００１２】
このように、本実施の形態１によれば、筐体１の開口部４の周縁に、イヤホンプラグ７の本体部８に形成した環状凸部１１の内側に対向する環状凸部６を備えているので、イヤホンプラグ７をイヤホンジャック２に挿着した時に、環状凸部６と環状凸部１１による食い違い構造により、安定した防水性が得られ、信頼性の高い多極性イヤホンプラグ接続装置を実現することができる。
【００１３】
（実施の形態２）
次に、本発明の実施の形態２について説明する。図３は本発明の実施の形態２における多極性イヤホンプラグ接続装置の構成を示し、図４（ａ）はイヤホンプラグをイヤホンジャックに挿着した状態の断面図、図４（ｂ）は図４（ａ）のＡ部拡大断面図である。本実施の形態２は、図１および図２に示した実施の形態１とは、イヤホンプラグとイヤホンジャックの防水構造が異なるのみなので、同様な構成要素には同様な符号を付して、以下には異なる部分についてのみ説明する。
【００１４】
図３および図４において、筐体１の開口部４の周縁には、上向きに環状凸部２１が形成され、その上面には内周側に向けて環状凸起２１ａが形成されている。また、イヤホンプラグ７の本体部８の端面８ａには、円筒端子１０に接する側が高く、外周側が低くなった環状凸部２２が形成されている。開口部４の環状凸部２１とイヤホンプラグ７の環状凸部２２とは、高さが同じであり、イヤホンプラグ７の環状凸部２２の外径は、開口部４の環状凸部２１の環状凸起２１ａの内径とほぼ同じか少し大きい。
【００１５】
次に、本実施の形態２におけるイヤホンプラグ接続装置の動作について説明する。イヤホンプラグ７のプラグ端子９をイヤホンジャック２のプラグ挿入部３の挿入穴３ａに押し込んで挿着すると、プラグ端子９が挿入穴３ａの電極に接続され、また円筒端子１０が、プラグ挿入部３の円筒部３ｂに嵌合して、円筒部３ｂの電極に接続される。同時に、イヤホンプラグ７の環状凸部２２が、開口部４の環状凸部２１の環状凸起２１ａに圧入される。この環状凸部２２と環状凸起２１ａとの圧接により、外部の水や埃が開口部４を通じて筐体１内に浸入するのを阻止することができる。また、イヤホンプラグ７の本体部８を水平面内で動かそうとしても、環状凸部２２と環状凸起２１ａとの圧接により動きが阻止されるので、プリント基板５とイヤホンジャック２の足部２ａにおける半田接合部にストレスがかかることがなく、破損が防止される。なお、環状凸部２６と環状凸起２１ａの直径はできるだけ大きい方が、防水性能の上で好ましい。また、プラグ挿着時には、開口部４の環状凸部２１をイヤホンプラグ７の環状凸部２２により目隠しすることができ、デザイン的にも優れている。イヤホンプラグ７を使用しない時は、イヤホンジャックカバー１２をイヤホンジャック２に差し込んで開口部４を塞いでおく。
【００１６】
このように、本実施の形態２によれば、筐体１の開口部４の周囲に、イヤホンプラグ７の本体部８の端面８ａに形成した環状凸部２２の外側に接触する環状凸部２１を備えているので、イヤホンプラグ７をイヤホンジャック２に挿着した時に、環状凸部２２と環状凸部２１との嵌合により、安定した防水性が得られるとともに、イヤホンプラグ７の振動や曲げによる力が吸収または阻止されるので、がたつきを防止することができる。これにより、イヤホンジャック２の足部２ａとプリント基板５との接合部に無理な力が加わることがなく、信頼性の高い多極性イヤホンプラグ接続装置を実現することができる。
【００１７】
（実施の形態３）
次に、本発明の実施の形態３について説明する。図５は本発明の実施の形態３における多極性イヤホンプラグ接続装置の構成を示し、図６（ａ）はイヤホンプラグをイヤホンジャックに挿着した状態の断面図、図６（ｂ）は図６（ａ）のＡ部拡大断面図である。本実施の形態３は、図１および図２に示した実施の形態１と図３および図４に示した実施の形態２とを組み合わせたものであり、同様な構成要素には同様な符号を付して、以下には異なる部分についてのみ説明する。
【００１８】
図５および図６において、筐体１の開口部４の周縁には、上向きに環状凸部３１が形成されている。また、イヤホンプラグ７の本体部端面８ａには、その外周面から下向きに第１の環状凸部３２が形成されている。開口部４の環状凸部３１とイヤホンプラグ７の環状凸部３２とは、高さが同じであるが、イヤホンプラグ７の環状凸部３２の直径は、開口部４の環状凸部３１の直径よりも大きく、両者の間には隙間Ｇが設けられている。また、イヤホンプラグ７の本体部端面８ａには、円筒端子１０に接する部分が高く、外周側が低くなった第２の環状凸部３３が形成され、その外周部は半径方向外側に突出する環状凸起３３ａとして形成されている。この環状凸起３３ａの外径は、開口部４の内径よりも少し大きい。
【００１９】
次に、本実施の形態３におけるイヤホンプラグ接続装置の動作について説明する。イヤホンプラグ７のプラグ端子９をイヤホンジャック２のプラグ挿入部３の挿入穴３ａに押し込んで挿着すると、プラグ端子９が挿入穴３ａの電極に接続され、また円筒端子１０が、プラグ挿入部３の円筒部３ｂに嵌合して、円筒部３ｂの電極に接続される。イヤホンプラグ７がイヤホンジャック２に挿着されると、イヤホンプラグ７の第１の環状凸部３２が、開口部４の環状凸部３１の周囲外側に隙間Ｇをもって位置する。この第１の環状凸部３２と環状凸部３１による食い違い構造により、外部の水や埃が開口部４を通じて筐体１内に浸入するのを阻止することができる。同時に、イヤホンプラグ７の第２の環状凸部３３の環状凸起３３ａが、開口部４の内周に圧入される。この第２の環状凸部３３の環状凸起３３ａと開口部４の内周との圧接により、外部の水や埃が開口部４を通じて筐体１内に浸入するのを阻止できるとともに、イヤホンプラグ７の本体部８を水平面内で動かそうとしても、第２の環状凸部３３と開口部４との圧接により動きが阻止されるので、プリント基板５とイヤホンジャック２の足部２ａにおける半田接合部にストレスがかかることがなく、破損が防止される。なお、第１の環状凸部３２と環状凸部３１の直径はできるだけ大きい方が、防水性能の上で好ましい。また、プラグ挿着時には、開口部４の環状凸部３１をイヤホンプラグ７の第１の環状凸部３２により目隠しすることができ、デザイン的にも優れている。イヤホンプラグ７を使用しない時は、イヤホンジャックカバー１２をイヤホンジャック２に差し込んで開口部４を塞いでおく。
【００２０】
このように、本実施の形態３によれば、筐体１の開口部４の周囲に、イヤホンプラグ７の本体部端面８ａに形成した第１の環状凸部３２の内側に対向する環状凸部３１を形成するとともに、イヤホンプラグ７の本体部端面８ａに、第１の環状凸部３２の内側に第２の環状凸部３３を形成し、イヤホンプラグ７をイヤホンジャック２に挿着した時に、イヤホンプラグ７の第１の環状凸起３２と開口部４の環状凸部３１とが対向することにより、また、イヤホンプラグ７の第２の環状凸部３３の環状凸起３３ａと開口部４の内周とが接触することにより、安定した防水性が得られるとともに、イヤホンプラグ７の振動や曲げによる力が阻止されるので、がたつきを防止することができる。これにより、イヤホンジャック２の足部２ａとプリント基板５との接合部に無理な力が加わることがなく、信頼性の高い多極性イヤホンプラグ接続装置を実現することができる。
【００２１】
（実施の形態４）
次に、本発明の実施の形態４について説明する。図７（ａ）は本発明の実施の形態４における多極性イヤホンプラグ接続装置の構成を示し、図７（ｂ）はシールリングの斜視図、図８（ａ）はイヤホンプラグをイヤホンジャックに挿着した状態の断面図、図８（ｂ）は図８（ａ）のＡ部拡大断面図である。本実施の形態２は、図１および図２に示した実施の形態１とは、イヤホンプラグとイヤホンジャックの防水構造が異なるのみなので、同様な構成要素には同様な符号を付して、以下には異なる部分についてのみ説明する。
【００２２】
図７および図８において、イヤホンプラグ７の本体部端面８ａには、その外周面から下向きに環状凸部４１が形成されている。一方、筐体１の開口部４には、シールリング４２が嵌め込まれている。シールリング４２は、円筒部４２ａと基部のフランジ部４２ｂとからなり、円筒部４２ａには、その内周部に、イヤホンプラグ７の円筒端子１０の外径よりも少し大きい内径を有する環状凸部４２ｃが形成され、フランジ部４２ｂの上面にも環状凸部４２ｄを有する。シールリング４２は、ゴム材料で形成されているが、シリコンゴムが経年変化、移行性の面で特に好ましい。
【００２３】
次に、本実施の形態４におけるイヤホンプラグ接続装置の動作について説明する。シールリング４２は、予め筐体１の開口部４に裏側から嵌め込み、環状凸部４２ｄが筐体１の裏面に圧接しておく。イヤホンプラグ７のプラグ端子９をイヤホンジャック２のプラグ挿入部３の挿入穴３ａに押し込んで挿着すると、プラグ端子９が挿入穴３ａの電極に接続され、また円筒端子１０が、プラグ挿入部３の円筒部３ｂに嵌合して、円筒部３ｂの電極に接続される。イヤホンプラグ７がイヤホンジャック２に挿着されると、イヤホンプラグ７の円筒端子１０がシールリング４２の環状凸部４２ｃに圧接するとともに、円筒部４２ａの先端部がイヤホンプラグ７の本体部端面８ａに圧接し、さらに、本体部端面８ａの環状凸部４１が、開口部４の周辺の筐体１表面に接触する。これにより、外部の水や埃が開口部４を通じて筐体１内に浸入するのを阻止できるとともに、イヤホンプラグ７の本体部８を水平面内で動かそうとしても、円筒端子１０がシールリング４２に保持されているので、プリント基板５とイヤホンジャック２の足部２ａにおける半田接合部にストレスがかかることがなく、破損が防止される。なお、環状凸部４１の直径はできるだけ大きい方が、防水性能の上で好ましい。また、プラグ挿着時には、シールリング４１をイヤホンプラグ７の環状凸部４１により目隠しすることができ、デザイン的にも優れている。イヤホンプラグ７を使用しない時は、イヤホンジャックカバー１２をイヤホンジャック２に差し込んで開口部４を塞いでおく。
【００２４】
このように、本実施の形態４によれば、筐体１の開口部４に、先端部がイヤホンプラグ７の本体部端面８ａに接触する円筒部４２ａと、この円筒部４２ａの内周部に形成されて円筒端子１０に圧接する環状凸部４２ｃとを備えたシールリング４２を備えているので、安定した防水性が得られるとともに、イヤホンプラグ７の振動や曲げによる力がシールリング４２により阻止されるので、がたつきを防止することができる。これにより、イヤホンジャック２の足部２ａとプリント基板５との接合部に無理な力が加わることがなく、信頼性の高い多極性イヤホンプラグ接続装置を実現することができる。
【００２５】
（実施の形態５）
次に、本発明の実施の形態５について説明する。図９は本発明の実施の形態５における多極性イヤホンプラグ接続装置の構成を示し、図１０（ａ）はイヤホンプラグをイヤホンジャックに挿着した状態の断面図、図１０（ｂ）はイヤホンジャックにイヤホンジャックカバーを被せた状態の断面図である。本実施の形態５は、上記実施の形態４におけるシールリング４２とイヤホンジャックカバー１２とをブリッジ５１により一体に形成したものである。シールリング４２とイヤホンジャックカバー１２とブリッジ５１とは、ゴム材料、好ましくはシリコンゴム材料に一体成形される。これにより、実施の形態４における効果に加えて、部品点数を削減できるという効果を有する。
【００２６】
なお、上記各実施の形態において、環状凸部および環状凸起の形状は、先端部が曲面形状になっているが、先の尖ったリップ形状にすると防水性の面でさらに好ましい。
【００２７】
【発明の効果】
以上説明したように、本発明の多極性イヤホンプラグ接続装置は、イヤホンプラグ本体部から突出するプラグ端子の基部外周に円筒端子を備えた多極性のイヤホンプラグと、筐体の開口部に取り付けられて前記イヤホンプラグが接続されるイヤホンジャックとを備えた多極性イヤホンプラグ接続装置において、イヤホンプラグ本体部の円筒端子の周囲に環状凸部を備え、筐体の開口部にイヤホンプラグ本体部の環状凸部に対向または接触する環状凸部を備えているので、デザイン性を考慮しつつ、安定した防水性が得られ、また、振動や曲げがあっても安定した接続が確保でき、信頼性の高い多極性イヤホンプラグ接続装置を得ることができる。
【図面の簡単な説明】
【図１】（ａ）本発明の実施の形態１における多極性イヤホンプラグ接続装置のイヤホンプラグとイヤホンジャックの関係を示す斜視図
（ｂ）イヤホンプラグを下方から見た部分拡大図
【図２】（ａ）本発明の実施の形態１におけるイヤホンプラグをイヤホンジャックに挿着した状態を示す断面図
（ｂ）図２（ａ）のＡ部拡大断面図
【図３】本発明の実施の形態２における多極性イヤホンプラグ接続装置のイヤホンプラグとイヤホンジャックの関係を示す斜視図
【図４】（ａ）本発明の実施の形態２におけるイヤホンプラグをイヤホンジャックに挿着した状態を示す断面図
（ｂ）図４（ａ）のＡ部拡大断面図
【図５】本発明の実施の形態３における多極性イヤホンプラグ接続装置のイヤホンプラグとイヤホンジャックの関係を示す斜視図
【図６】（ａ）本発明の実施の形態３におけるイヤホンプラグをイヤホンジャックに挿着した状態を示す断面図
（ｂ）図６（ａ）のＡ部拡大断面図
【図７】（ａ）本発明の実施の形態４における多極性イヤホンプラグ接続装置のイヤホンプラグとイヤホンジャックの関係を示す斜視図
（ｂ）本発明の実施の形態４におけるシールリングの斜視図
【図８】（ａ）本発明の実施の形態４におけるイヤホンプラグをイヤホンジャックに挿着した状態を示す断面図
（ｂ）図８（ａ）のＡ部拡大断面図
【図９】本発明の実施の形態５における多極性イヤホンプラグ接続装置のイヤホンプラグとイヤホンジャックの関係を示す斜視図
【図１０】（ａ）本発明の実施の形態５におけるイヤホンプラグをイヤホンジャックに挿着した状態を示す断面図
（ｂ）イヤホンジャックにイヤホンジャックカバーを被せた状態を示す断面図
【図１１】従来のイヤホンプラグ接続装置の構成を示す断面図
【符号の説明】
１　筐体
２　イヤホンジャック
３　プラグ挿入部
４　開口部
５　プリント基板
６　環状凸部
７　イヤホンプラグ
８　イヤホンプラグの本体部
９　プラグ端子
１０　円筒端子
１１　環状凸部
１２　イヤホンジャックカバー
２１、２２　環状凸部
３１　環状凸部
３２　第１の環状凸部
３３　第２の環状凸部
４１　環状凸部
４２　リールリング
５１　ブリッジ
【図１】
2004087185.tif 000003
【図２】
2004087185.tif 000004
【図３】
2004087185.tif 000005
【図４】
2004087185.tif 000006
【図５】
2004087185.tif 000007
【図６】
2004087185.tif 000008
【図７】
2004087185.tif 000009
【図８】
2004087185.tif 000010
【図９】
2004087185.tif 000011
【図１０】
2004087185.tif 000012
【図１１】
2004087185.tif 000013